(57)【要約】      （修正有）【課題】ユーザの収支に変動がある場合において、収支情報に基づいた適切な広告情報を提供することができる技術を提供する。【解決手段】広告情報記憶部１２が広告情報を記憶し、収支情報受信部１０がユーザの収支情報を受信し、広告情報抽出部１１が収支情報に基づいてユーザに提供する広告情報を広告情報記憶部１２から抽出し、配信部１４が、抽出した広告情報をユーザの端末に配信する。これによって、ユーザの端末には、ユーザの収支情報に応じた広告が配信される。【選択図】図２
2010250835.tif 000002
【特許請求の範囲】
【請求項１】
ユーザにより利用可能な端末と、前記端末宛に広告情報を配信する広告情報配信サーバとを有する広告情報配信システムであって、  前記端末は、  ユーザからの所定の対象の購入指示を受け付ける指示受付手段と、  前記対象に関わる収支情報を導出する収支情報導出手段と、前記収支情報を前記広告情報配信サーバに送信する送信手段とを有し、  前記広告情報配信サーバは、広告情報を記憶する広告記憶手段と、前記収支情報を受信する収支情報受信手段と、前記収支情報に基づいてユーザに提供する広告情報を広告記憶手段から抽出する広告情報抽出手段と、抽出した前記広告情報を前記端末宛に配信する配信手段とを有する広告情報配信システム。
【請求項２】
広告情報を記憶する広告記憶手段と、ユーザについての所定の取引に関わる収支情報を取得する取得手段と、前記収支情報に基づいてユーザに提供する広告情報を広告記憶手段から抽出する広告情報抽出手段と、抽出した前記広告情報を前記ユーザの端末宛に配信する配信手段とを有する広告情報配信サーバ。
【請求項３】
前記広告記憶手段は、前記広告情報と、当該広告情報に含まれる対象の金額情報とを対応付けて記憶し、前記広告情報抽出手段は、前記収支情報が示す金額と、所定の関係にある金額情報に対応付けられた広告情報を抽出することを特徴とする請求項２に記載の広告情報配信サーバ。
【請求項４】
前記広告情報抽出手段は、前記収支情報が示す金額以内の金額情報と対応付けられている広告情報を抽出することを特徴とする請求項３に記載の広告情報配信サーバ。
【請求項５】
広告情報を配信する広告情報配信サーバによる広告情報配信方法であって、受信手段がユーザについての収支情報を受信する受信ステップと、収支情報に基づいてユーザに提供する広告情報を広告記憶手段から抽出する広告情報抽出ステップと、配信手段が、抽出した前記広告情報を前記ユーザの端末宛に配信する配信ステップとを有する広告情報配信方法。
【請求項６】
広告情報を配信する広告情報配信サーバとして機能するコンピュータに実行させる広告情報配信プログラムであって、  前記コンピュータを、ユーザについての収支情報を受信する受信手段と、収支情報に基づいてユーザに提供する広告情報を広告記憶手段から抽出する広告情報抽出手段と、抽出した前記広告情報を前記ユーザの端末宛に配信する配信手段として機能させる広告情報配信プログラム。
【発明の詳細な説明】
【技術分野】
【０００１】
本発明は、ユーザの端末に広告情報を配信する広告情報配信システム、広告情報配信サーバ、及び広告情報配信方法等に関する。
【背景技術】
【０００２】
従来、ユーザの端末に対して、電子メールやウェブページなどにより広告情報を配信する広告情報配信システムが知られている。このような広告情報配信システムにおいては、ユーザの嗜好に関する情報を予め登録しておき、その嗜好に関する情報に基づいてユーザの端末に広告情報を配信することにより、ユーザの嗜好にあった広告情報を配信している。しかしながら、単にユーザの嗜好に関する情報のみを基準に広告情報を配信するだけでは、ユーザの現時刻での要求とは異なる、不必要な情報がユーザの端末に対して配信されてしまう場合がある。  これに対して、ユーザの現時刻での要求に応じて、ユーザの嗜好にあった情報をユーザの端末に配信することのできるシステムの発明が開示されている（例えば、特許文献１参照）。
【先行技術文献】
【特許文献】
【０００３】
【特許文献１】特開２００４−１９２２８４号公報
【発明の概要】
【発明が解決しようとする課題】
【０００４】
広告配信の分野においては、広告効果が得られるより好ましい場面において、より効果の高い広告をユーザに対して配信することのできる技術が要請されている。  本発明は、上記課題に鑑みてなされたもので、より広告効果の高いと想定される場面において、より効果の高い広告を配信することのできる技術を提供することを目的とする。
【課題を解決するための手段】
【０００５】
上記目的を達成するため、本発明は所定の対象の取引に関わる、収入額、支出額の少なくとも一方を含む収支情報に着目してなされたものであり、本発明の第１の態様に係る広告情報配信システムは、ユーザにより利用可能な端末と、端末宛に広告情報を配信する広告情報配信サーバとを有する広告情報配信システムであって、端末は、ユーザからの所定の対象の購入指示を受け付ける指示受付手段と、対象に関わる収支情報を導出する収支情報導出手段と、収支情報を広告情報配信サーバに送信する送信手段とを有し、広告情報配信サーバは、広告情報を記憶する広告記憶手段と、収支情報を受信する収支情報受信手段と、収支情報に基づいてユーザに提供する広告情報を広告記憶手段から抽出する広告情報抽出手段と、抽出した広告情報を端末宛に配信する配信手段とを有する。ここで、収支情報とは、収入の情報、支出の情報の少なくともいずれか一方でもよく、両方を含む情報であってもよい。また、収支情報は金額そのものを示す情報であってもよく、金額の多寡を示す情報、収支がプラスかマイナスであるかを示す情報であってもよい。  かかる構成によると、広告情報配信サーバがユーザの収支情報に基づいて配信する広告情報を抽出して、ユーザの端末配信することができる。  
【０００６】
また、本発明の第２の態様に係る広告情報配信サーバは、広告情報を記憶する広告記憶手段と、ユーザについての所定の取引に関わる収支情報を取得する取得手段と、収支情報に基づいてユーザに提供する広告情報を広告記憶手段から抽出する広告情報抽出手段と、抽出した広告情報をユーザの端末宛に配信する配信手段とを有する。  かかる構成によると、広告情報配信サーバがユーザの収支情報に基づいて配信する広告情報を抽出して、ユーザの端末宛に配信することができる。  また、広告記憶手段は、広告情報と、当該広告情報に含まれる対象の金額情報とを対応付けて記憶し、広告情報抽出手段は、収支情報が示す金額と、所定の関係にある金額情報に対応付けられた広告情報を抽出するようにしてもよい。かかる構成によると、収支情報が示す金額と所定の関係にある金額情報に対応付けられた広告情報をユーザの端末宛に配信することができる。例えば、もう少しあれば購入できる商品等の広告を配信することができる。  
【０００７】
また、広告情報抽出手段は、収支情報が示す金額以内の金額情報と対応付けられている広告情報を抽出するようにしてもよい。かかる構成によると、収支情報が示す額があれば購入できる商品等の広告情報を配信することができる。  
【０００８】
また、本発明の第３の態様に係る広告情報配信方法は、広告情報を配信する広告情報配信サーバによる広告情報配信方法であって、受信手段がユーザについての収支情報を受信する受信ステップと、収支情報に基づいてユーザに提供する広告情報を広告記憶手段から抽出する広告情報抽出ステップと、配信手段が、抽出した広告情報をユーザの端末宛に配信する配信ステップとを有する。  かかる方法によると、広告情報配信サーバがユーザの収支情報に基づいて配信する広告情報を抽出して、ユーザの端末配信することができる。  
【０００９】
また、本発明の第４の態様に係る広告情報配信プログラムは、広告情報を配信する広告情報配信サーバとして機能するコンピュータに実行させる広告情報配信プログラムであって、コンピュータを、ユーザについての収支情報を受信する受信手段と、収支情報に基づいてユーザに提供する広告情報を広告記憶手段から抽出する広告情報抽出手段と、抽出した広告情報をユーザの端末宛に配信する配信手段として機能させる。  かかるプログラムをコンピュータにより実行することにより、広告情報配信サーバがユーザの収支情報に基づいて配信する広告情報を抽出して、ユーザの端末配信することができる。
【発明の効果】
【００１０】
本発明によれば、ユーザについての収支情報がある場合において、収支情報に基づいた適切な広告情報を提供することができる。
【図面の簡単な説明】
【００１１】
【図１】本発明の一実施の形態に係る広告情報配信システムの構成図である。
【図２】本発明の一実施の形態に係る広告情報配信サーバの機能構成図である。
【図３】本発明の一実施の形態に係る広告情報記憶部に記憶された広告情報の一例を示す図である。
【図４】収益に応じて配信する広告について説明する図である。
【図５】本発明の一実施の形態に係る広告情報配信サーバのハードウエア構成図である。
【図６】本発明の一実施の形態に係る端末の機能構成図である。
【図７】本発明の一実施の形態に係る舟券購入ウインドウを説明する図である。
【図８】本発明の一実施の形態に係る広告情報配信システムの処理を説明する第１のシーケンス図である。
【図９】本発明の一実施の形態に係る広告情報配信システムの処理を説明する第２のシーケンス図である。
【図１０】本発明の一実施の形態に係る広告抽出処理のフローチャートである。
【発明を実施するための形態】
【００１２】
本発明の実施形態について、図面を参照して説明する。なお、以下に説明する実施形態は特許請求の範囲に係る発明を限定するものではなく、また実施形態の中で説明されている特徴の組み合わせの全てが本発明の成立に必須であるとは限らない。  
【００１３】
図１は、本発明の一実施の形態に係る広告情報配信システムの構成図である。  広告情報配信システムにおいて、ユーザにより利用可能な端末１と、預金口座からの引き出し、預金口座への預け入れ、預金口座から他の口座への振込み等のバンキングサービスを提供するネットバンクサーバ２と、競艇における舟券の投票（購入）取引を受け付ける投票サーバ３と、競艇のレース情報を提供するレース情報提供サーバ４と、広告情報を配信する広告情報配信サーバ５と、広告主のＷｅｂページを提供する広告主サーバ６とが、例えば、インターネット等のネットワーク７を介して接続されている。端末１は、パーソナルコンピュータ等のコンピュータであってもよく、また、携帯電話端末であってもよく、ＰＤＡ（Personal Digital Assistant）端末であってもよい。  
【００１４】
図２は、本発明の一実施の形態に係る広告情報配信サーバの機能構成図である。  広告情報配信サーバ５は、収支情報受信部１０と、広告情報抽出部１１と、広告情報記憶部１２と、ユーザ情報記憶部１３と、配信部１４と、要求履歴記憶部１５と、表示要求受信部１６と、詳細要求対応部１７と、詳細送信部１８とを有する。  
【００１５】
収支情報受信部１０は、端末１から送信されるユーザの収支情報を受信する。本実施の形態においては、ユーザを示すユーザＩＤと、ユーザの直前レースの収支額と、当日の収支額と、今週の収支額とを受信する。ユーザ情報記憶部１３は、ユーザＩＤとユーザ情報を対応付けて記憶する。ユーザ情報としては、年齢、性別、職種、個人収入額、世帯収入額、世帯総資産、持ち家有無の情報、配偶者有無の情報、車有無の情報、子供の数、家族構成、興味のあるジャンル等の情報を記憶する。  
【００１６】
広告情報記憶部１２は、端末１に送信するための広告情報を記憶する。  図３は、本発明の一実施の形態に係る広告情報記憶部に記憶された広告情報の一例を示す図である。  広告情報記憶部１２は、広告の管理番号（広告ＩＤ）を格納する管理番号フィールド１２ａと、画像を格納する画像フィールド１２ｂと、広告の見出し（キャプション）を格納するキャプションフィールド１２ｃと、広告の詳細なページのＵＲＬ（Uniform Resource Locator）を格納する飛び先フィールド１２ｄと、広告のジャンルを格納するジャンルフィールド１２ｅと、広告対象の商品及びサービス（商品等ともいう）の価格の範囲を格納する商品価格フィールド１２ｆと、広告の掲載期間を格納する広告掲載期間フィールド１２ｇと、広告の最大クリック数を格納する最大クリック数フィールド１２ｈと、クリックされた回数を格納するクリックカウントフィールド１２ｉとを含むレコードにより各広告情報を記憶する。  
【００１７】
例えば、図３に示す広告情報は、広告ＩＤが「４０１２」であり、画像が「○○旅行ツアー」の画像であり、キャプションが「○名様○万円から楽しめる本格ツアー」であり、飛び先は、「www.xx‐travel.jp/？tour=1」であり、ジャンルは「旅行」であり、商品価格範囲は、「30000〜40000」円であり、広告掲載期間は、「2005.06.01-2005.07.01」であり、最大クリック数は、「5000」回であり、クリックカウントは、「2152」回である。  
【００１８】
広告情報記憶部１２に記憶させる広告情報として格納する商品等の例について簡単に説明する。  図４は、広告情報として格納する商品等について説明する図である。  広告情報としては、収支額がマイナスの場合に対しては、金融商品や、癒し系の商品が格納されており、また、収支額がプラスであって、利益が少ない場合に対しては、衣類、玩具、化粧品、菓子／飲料等の商品等が格納されており、より利益が多い場合に対して、一般家電、パソコン、国内旅行、ホテルの商品等が格納され、さらに利益が多い場合に対しては、車、実需マンション、海外旅行、ゴルフ会員権、投資用マンション等の商品等が格納されている。  
【００１９】
図２に戻り、広告情報抽出部１１は、収支情報受信部１０が受信した
収支額に基づいて広告情報記憶部１２から広告情報を抽出する。本実施の形態では、広告情報抽出部１１は、さらに、ユーザ情報を用いて広告情報を抽出する。例えば、広告情報抽出部１１は、ユーザ情報に格納されている興味のあるジャンルと関連するジャンルの広告情報を抽出する。なお、ユーザ情報のその他の情報に基づいて広告情報を抽出するようにしてもよい。また、ユーザ情報や購買履歴等に対する統計分析（例えば、クラスター分析）を利用して、広告情報を抽出するようにしてもよい。  
【００２０】
配信部１４は、広告情報抽出部１１により抽出された広告情報を端末１宛に送信する。  要求履歴記憶部１５は、ユーザによる広告の詳細要求についての履歴を記憶する。例えば、要求履歴記憶部１５は、ユーザＩＤと、要求対象の広告ＩＤと、要求日時とを対応付けて記憶する。表示要求受信部１６は、端末１から広告の詳細表示を要求する詳細要求を受信する。本実施の形態では、表示要求受信部１６は、詳細要求を行ったユーザのユーザＩＤと広告ＩＤとを受信する。  
【００２１】
詳細要求対応部１７は、表示要求受信部１６が受信したユーザＩＤと、広告ＩＤと、詳細要求があった日時とを対応付けて要求履歴記憶部１５に格納するとともに、広告情報記憶部１２の広告ＩＤに対応するレコードのクリックカウントフィールド１２ｉのクリック回数に１を加算し、当該レコードから広告主のページ情報を取得し、詳細送信部１８に通知する。本実施の形態では、ページ情報として、広告主サーバ６で公開されている詳細ページのＵＲＬを用いている。詳細送信部１８は、詳細要求対応部１７から通知されたＵＲＬを詳細要求元の端末１に送信する。  
【００２２】
図５は、本発明の一実施の形態に係る広告情報配信サーバのハードウエア構成図である。  広告情報配信サーバ５は、大別すると、画像を表示する表示装置２３と、サーバ管理者による操作を受け付ける入力装置２２と、広告情報抽出処理等の処理を行う本体部２１とを有する。表示装置２３は、例えば、液晶ディスプレイ、プラズマディスプレイ、ＣＲＴディスプレイであってもよい。入力装置２２は、例えば、マウス等のポインティングデバイス、キーボードであってもよい。  
【００２３】
広告情報配信サーバ５の本体部２１は、ＣＰＵ（Central Processing Unit）２４と、ＲＯＭ（Read Only Memory）２５と、ＲＡＭ（Random Access Memory）２６と、ハードディスクドライブ２７と、表示処理装置２９と、コンボドライブ３０と、通信インターフェース３１と、入力インターフェース２８とがバス３２を介して接続されている。  
【００２４】
ＲＯＭ２５は、ブートプログラム等の基本プログラムを記憶する。ＲＡＭ２６は、プログラムやデータを記憶したり、ＣＰＵ２４による処理に使用するデータを格納する作業領域として利用される。表示処理装置２９は、ＣＰＵ２４の制御により、各種画像データを生成し、表示装置２３に出力する。コンボドライブ３０は、複数種類の記録媒体３３からのデータ、プログラムの読み込み、記録媒体３３へのデータ等の書き込みを行う。記録媒体３３としては、例えば、ＣＤ−ＲＯＭ、ＤＶＤ−ＲＯＭ、ＤＶＤ−ＲＡＭがある。通信インターフェース３１は、ネットワーク７と接続可能であり、ネットワーク７を介して、他の装置との通信を行う。  
【００２５】
ハードディスクドライブ２７は、ＯＳ（オペレーティングシステム）や、各種プログラムを読み出し可能に記憶する。本実施の形態では、広告情報配信プログラムを記憶する。  広告情報配信プログラムは、例えば、通信インターフェース３１によりネットワーク７を介してダウンロードして記憶してもよく、また、広告情報配信プログラムが記憶された記録媒体３３からコンボドライブ３０により読み出して記憶するようにしてもよい。  入力インターフェース２８は、入力装置２２と接続可能であり、入力装置２２からの信号をデータとして、ＣＰＵ２４、ＲＡＭ２６に渡す。  
【００２６】
ＣＰＵ２４は、ＲＯＭ２５の基本プログラムやハードディスク２７に格納されているＯＳやプログラムをＲＡＭ２６に読み出して実行することにより各種処理を実行する。本実施形態では、ＣＰＵ２４は、ハードディスクドライブ２７に格納された広告情報配信プログラムをＲＡＭ２６に読み出して実行する。また、ＣＰＵ２４は、各部２５〜３１の動作を制御する。  
【００２７】
ここで、図２に示す収支情報受信部１０、広告情報抽出部１１、配信部１４、表示要求受信部１６、詳細要求対応部１７、及び詳細送信部１８は、主に、ＣＰＵ２４がＲＯＭ２５、ＲＡＭ２６を利用して広告情報配信プログラムを実行することにより構成される。また、広告情報記憶部１２、ユーザ情報記憶部１３、及び要求履歴記憶部１５は、ＲＡＭ２６又はハードディスクドライブ２７によって構成される。  
【００２８】
図６は、本発明の一実施の形態に係る端末の機能構成図である。  端末１は、大別すると、画像を表示する表示装置５２と、ユーザによる操作を受け付ける入力装置５１と、各種処理を行う本体部５０とを有する。本体部５０は、投票受付部５３と、投票情報記憶部５４と、レース情報記憶部５５と、収支導出部５６と、入金指示部５７と、レース情報通信部５８と、収支送信部５９と、投票送信部６０と、詳細要求受付部６１と、詳細通信部６２と、広告情報受信部６３と、表示制御部６４とを有する。  
【００２９】
投票受付部５３は、入力装置５１に対するユーザによる操作により、競艇の舟券についての投票情報を受け付ける。具体的には、投票受付部５３は、日付、レース場、レース番号、勝式、買い目、金額、購入希望時間等の投票情報について受け付ける。  
【００３０】
投票情報記憶部５４は、投票受付部５３により受け付けられた舟券の投票情報を記憶する。  投票送信部６０は、投票受付部５３により受け付けられた舟券の投票情報をネットワーク７を介して投票サーバ３に送信する。これによって、投票サーバ３においては、投票情報に従ってユーザが投票（購入）したとして処理が行われる。  
【００３１】
レース情報記憶部５５は、レース情報を記憶する。レース情報としては、レースが開催されるレース場、レースの内容、レースの開始時刻、レースへの投票の締め切り時刻、各レースのレース結果及び舟券の配当額等の情報がある。  
【００３２】
収支導出部５６は、投票情報記憶部５４に記憶された投票情報と、レース情報記憶部５５に記憶されたレース結果及びその配当額に基づいて、収支情報を導出する。本実施の形態では、収支導出部５６は、ユーザの購入した直前に終了したレースにおける収支額、当日の収支額、今週の収支額を算出する。直前に終了したレースの収支額を導出する方法としては、ユーザの購入した舟券のうちで、レース情報記憶部５５にレース結果の出ている最新のレースの舟券を特定し、そのレース結果に基づいて、当該舟券が的中しているか否かを判定し、的中している場合には、その配当額を取り出して、購入金額に基づいてユーザの配当総額を算出し、配当総額から購入金額を減算することにより収支額（利益）が算出できる一方、舟券が的中していない場合には、購入金額が収支額（損失）として導出される。なお、最新のレースの舟券が複数ある場合には、それらすべてに対して上記同様に処理をし、それらを総計したものが収支額となる。  また、当日の収支額、今週の収支額については、当日の舟券、今週の舟券について上記同様な処理をすることにより導出することができる。  
【００３３】
入金指示部５７は、ネットバンクサーバ２に対してユーザの預金口座から投票サーバ３におけるユーザの投票用口座への送金を依頼する。この投票用口座に送られた金額の範囲内でユーザは舟券を購入することができる。なお、送金する額については、予めユーザが設定できるようになっている。また、送金の依頼においては、ネットバンクサーバ２においてユーザを認証するための認証情報、例えば、ユーザＩＤ及びパスワードについても送信される。  
【００３４】
レース情報通信部５８は、ネットワーク７を介してレース情報提供サーバ４からレース情報を取得して、レース情報記憶部５５に格納する。本実施の形態では、レース情報通信部５８は、端末１において投票を行うためのプログラム（投票ソフト）の実行開始直後と、各レースのレース結果が確定する時刻において、レース情報を取得するようにしている。  
【００３５】
収支送信部５９は、収支導出部５６により導出された収支情報をネットワーク７を介して広告情報配信サーバ５に送信する。本実施の形態では、収支送信部５９は、ユーザＩＤ、直前レースの収支額、当日の収支額、及び今週の収支額を送信する。  広告情報受信部６３は、広告情報配信サーバ５から広告情報を受信する。  
【００３６】
表示制御部６４は、表示装置５２に各種情報を表示する処理を行う。例えば、表示制御部６４は、広告情報受信部６３が受信した広告情報を表示装置５２に表示する処理を行う。  詳細要求受付部６１は、入力装置５１によるユーザの操作に基づいて、表示装置５２により表示された広告情報に対しての詳細情報を要求する指示を受け付ける。  
【００３７】
詳細通信部６２は、詳細要求受付部６１により受け付けられた詳細情報の要求指示をネットワーク７を介して広告情報配信サーバ５に送信する。本実施の形態では、詳細通信部６２は、ユーザに指示された広告情報に対応付けられている広告ＩＤと、当該ユーザのユーザＩＤとを含む要求として広告情報配信サーバ５に送信する。また、詳細通信部６２は、広告情報配信サーバ５から詳細情報が含まれたページのＵＲＬを受信し、当該ＵＲＬに基づいて、当該ＵＲＬのページを格納している広告主サーバ６から当該ページを受信し、当該ページを表示制御部６４により表示装置５２に表示させる。  
【００３８】
なお、端末１のハードウエア構成は、図５に示す広告情報配信サーバ５とほぼ同様な構成をしている。例えば、端末１は、表示装置と、入力装置と、本体部とを有する。本体部は、ＣＰＵと、ＲＯＭと、ＲＡＭと、ハードディスクドライブと、表示処理装置と、コンボドライブと、通信インターフェースと、入力インターフェースとがバスを介して接続されている。  
【００３９】
次に、端末１の表示装置５２に表示される舟券購入ウインドウを説明する。  図７は、本発明の一実施の形態に係る舟券購入ウインドウを示す図である。  舟券購入ウインドウ７１は、購入する舟券の投票情報を入力するための投票情報入力領域７２と、投票情報入力領域７２に設定している投票情報を購入予定リストに追加する指示を受け付ける追加ボタン７３と、購入予定リストに含まれる投票情報での購入を確定する指示を受け付ける確定ボタン７４と、広告情報を表示する広告情報表示領域７５〜８０とを有する。投票情報入力領域７２においては、投票日、レース場、レース番号、勝式、買い目、金額、購入希望時間等の設定を受け付けるようになっている。  
【００４０】
次に、広告情報配信システムにおける処理を図８及び図９を用いて説明する。  図８は、本発明の一実施の形態に係る広告情報配信システムの処理を説明する第１のシーケンス図であり、図９は、本発明の一実施の形態に係る広告情報配信システムの処理を説明する第２のシーケンス図である。  
【００４１】
端末１において、投票ソフトの実行を開始するか否かを判定し（ステップＳ１）、投票ソフトの実行を開始する場合は、端末１のレース情報通信部５８がレース情報提供サーバ４にレース情報の要求を送信する（ステップＳ２）。レース情報提供サーバ４は、レース情報を送信し、端末１のレース情報通信部５８がレース情報を取得する（ステップＳ３）。レース情報通信部５８は、取得したレース情報をレース情報記憶部５５に格納する。  
【００４２】
次いで、広告情報受信部６３が、デフォルトで表示させる広告情報の要求を広告情報配信サーバ５に送信する（ステップＳ４）。広告情報配信サーバ５の収支情報受信部１０は、デフォルトの広告情報の要求を受信し、広告情報抽出部１１に通知する。広告情報抽出部１１は、広告情報記憶部１２からデフォルトの広告情報を抽出して配信部１４に渡す。配信部１４
はデフォルトの広告情報をネットワーク７を介して要求元の端末１に送信する（ステップＳ５）。  
【００４３】
端末１においては、広告情報受信部６３がデフォルトの広告情報を受信して、当該広告情報を表示制御部６４に通知する。表示制御部６４は、表示装置５２にデフォルトの広告情報を含む画面を表示させる（ステップＳ６）。本実施の形態では、図７に示す舟券購入ウインドウ７１における広告情報表示領域７５〜８０のそれぞれにデフォルトの広告情報を表示する。  
【００４４】
次いで、端末１においては、入金指示部５７がネットワーク７を介してネットバンクサーバ２に対してユーザの預金口座から投票サーバ３におけるユーザの投票用口座への送金を依頼する（ステップＳ７）。ネットバンクサーバ２では、送金依頼に含まれているユーザＩＤ及びパスワードに基づいて、認証できるか否かを判定し（ステップＳ８）、認証できない場合には処理を行わない一方、認証できる場合には、ユーザＩＤ及び依頼された額の送金通知を投票サーバ３に行う（ステップＳ９）。投票サーバ３では、ユーザＩＤに該当するユーザの投票用口座に依頼額の入金を行う（ステップＳ１０）。これにより、ユーザは、端末１により、投票サーバ３に対して舟券の投票が可能になる。  
【００４５】
端末１においては、投票受付部５３が、入力装置５１によるユーザの操作により、投票確定指示があったか否かを判定し（ステップＳ１１）、投票確定指示があった場合には、投票情報を投票情報記憶部５４に記憶する（ステップＳ１２）とともに、確定した旨を投票送信部６０に通知する。通知を受けた投票送信部６０は、投票情報記憶部５４に記憶されている投票情報を投票要求として投票サーバ３に送信する（ステップＳ１３）。投票要求を受信した投票サーバ３においては、投票情報に基づいて、当該ユーザが舟券の投票を行ったとの投票処理を実行する（ステップＳ１４）。なお、投票確定指示がない場合（ステップＳ１１のＮＯ）には、ステップＳ１２、ステップＳ１３の処理は行わない。  
【００４６】
次いで、レース情報通信部５８は、レースが確定する時刻か否かを判定し（ステップＳ１５）、レースが確定する時刻であると判定した場合には、レース結果、配当額等の情報をレース情報提供サーバ４に要求する（ステップＳ１６）。レース情報提供サーバ４は、レース結果、配当額等の情報を送信する（ステップＳ１７）。端末１のレース情報通信部５８は、受信したレース結果、配当額等の情報をレース情報記憶部５５に格納する。  
【００４７】
図９に移り、ユーザにより投票されたレースが確定したか否かを端末１の収支導出部５６が判定し（ステップＳ１８）、投票レースが確定したと判定した場合には、収支情報の計算を実行し（ステップＳ１９）、収支情報を収支送信部５９に通知する。収支送信部５９は、収支情報をネットワーク７を介して広告情報配信サーバ５に送信する（ステップＳ２０）。広告情報配信サーバ５においては、収支情報受信部１０が収支情報を受信し、広告情報抽出部１１が収支情報に基づいて広告情報を抽出する後述する広告抽出処理を実行し（ステップＳ２１）、配信部１４が抽出された広告情報を端末１に送信する（ステップＳ２２）。  
【００４８】
端末１においては、広告情報受信部６３が広告情報を受信して、当該広告情報を表示制御部６４に通知する。表示制御部６４は、表示装置５２に広告情報を含む画面を表示させる（ステップＳ２３）。本実施の形態では、図７に示す舟券購入ウインドウ７１における広告情報表示領域７５〜８０のそれぞれに広告情報を表示する。  なお、ユーザにより投票されたレースが確定していない場合（ステップＳ１８のＮＯ）には、端末１は、ステップＳ１９、ステップＳ２０、ステップＳ２３の処理を実行しない。  
【００４９】
次いで、詳細要求受付部６１が、入力装置５１によるユーザの操作に基づいて、表示装置５２により表示された広告に対しての詳細情報を要求する指示、例えば、広告情報表示領域７５〜８０に対してのクリック操作があったか否かを判定する（ステップＳ２４）。  広告情報へのクリックがあった場合には、詳細通信部６２がクリックされた広告情報についての詳細情報の要求を広告情報配信サーバ５に送信する（ステップＳ２５）。  
【００５０】
広告情報配信サーバ５では、表示要求受信部１６が、端末１からの広告ＩＤ及びユーザＩＤを含む詳細表示の要求を受信し、詳細要求対応部１７が受信したユーザＩＤと、広告ＩＤと、要求日時とを対応付けて要求履歴記憶部１５に格納し、広告ＩＤに対応する広告の広告主のページのＵＲＬを広告情報記憶部１２から取得し、詳細送信部１８に通知する（ステップＳ２６）。次いで、詳細送信部１８が、詳細要求対応部１７から通知されたＵＲＬを端末１に送信する（ステップＳ２７）。  
【００５１】
端末１では、詳細通信部６２が、広告情報配信サーバ５からページのＵＲＬを受信し、当該ＵＲＬに基づいて、当該ＵＲＬのページを格納している広告主サーバ６へ広告ページの要求を送信する（ステップＳ２８）。この要求を受けた広告主サーバ６は、該当するページを要求元の端末１に送信する（ステップＳ２９）。端末１では、広告主サーバ６から広告ページを受信し、表示制御部６４により表示装置５２に当該広告ページを表示させる（ステップＳ３０）。なお、広告情報へのクリックがない場合（ステップＳ２４のＮＯ）には、端末１は、ステップＳ２５、ステップＳ２７、ステップＳ２８、ステップＳ３０の処理を実行しない。  
【００５２】
次いで、端末１において、投票受付部５３が終了指示があるか否かを判定し（ステップＳ３１）、終了指示があると判定した場合には処理を終了する一方、終了指示がない場合には、ステップＳ１１からの処理をさらに実行する。  
【００５３】
次に、広告情報配信サーバ５によるステップＳ２１の広告抽出処理について説明する。  図１０は、本発明の一実施の形態に係る広告抽出処理のフローチャートである。  広告情報抽出部１１が、広告情報記憶部１２の広告情報の中から、商品等の価格範囲内に、収支情報中の直前レースの収支額が含まれる広告情報を抽出する(ステップＳ４１)。次いで、広告情報抽出部１１が抽出した広告情報が所定数、例えば３つ以上あるか否かを判定し（ステップＳ４２）、広告情報が３つ以上の場合には、その広告情報の中から、ユーザ情報に基づいて、配信対象として２つの広告情報を選択する（ステップＳ４３）。なお、ユーザ情報に基づいて広告情報を選択する方法としては、種々の方法が知られているので、ここでは、説明を省略する。一方、抽出した広告情報が３つ未満の場合には、抽出された広告情報を配信対象とするので、ステップＳ４３の処理を行わない。  
【００５４】
次いで、広告情報抽出部１１が、広告情報記憶部１２の広告情報の中から、商品等の価格範囲内に、収支情報中の当日の収支額が含まれる広告情報を抽出する(ステップＳ４４)。次いで、広告情報抽出部１１が抽出した広告情報が所定数、例えば３つ以上あるか否かを判定し（ステップＳ４５）、広告情報が３つ以上の場合には、その広告情報の中から、ユーザ情報に基づいて、配信対象として２つの広告情報を選択する（ステップＳ４６）。一方、抽出した広告情報が３つ未満の場合には、抽出された広告情報を配信対象とするので、ステップＳ４６の処理を行わない。  
【００５５】
さらに、広告情報抽出部１１が、広告情報記憶部１２の広告情報の中から、商品等の価格範囲内に、収支情報中の今週の収支額が含まれる広告情報を抽出する(ステップＳ４７)。次いで、広告情報抽出部１１が抽出した広告情報が所定数、例えば３つ以上あるか否かを判定し（ステップＳ４８）、広告情報が３つ以上の場合には、その広告情報の中から、ユーザ情報に基づいて、配信対象とする２つの広告情報を選択する（ステップＳ４９）。一方、抽出した広告情報が３つ未満の場合には、抽出した広告情報を配信対象とするので、ステップＳ４９の処理を行わない。  
【００５６】
次いで、広告情報抽出部１１は、配信対象とする広告情報が所定数、例えば６つあるか否かを判定し（ステップＳ５０）、所定数ある場合には、端末１側で表示させる広告情報の数を満たすので処理を行わない一方、所定数ない場合には、所定数に足りない分の広告情報を抽出する（ステップＳ５１）。このようにして抽出された所定数の広告情報を配信部１４が端末１宛に送信する（ステップＳ５２）。これによって、直前レースの収支額、当日の収支額、今週の収支額のそれぞれに応じた適切な広告情報がユーザの端末１に表示される。  したがって、例えば、当日の収支額で購入できる商品の広告情報がユーザに提示されることとなり、商品の購入につながる可能性が高い。  
【００５７】
以上、本発明を実施形態に基づいて説明したが、本発明は上述した実施の形態に限られず、他の様々な態様に適用可能である。  上記実施の形態では、競艇における収支情報を用いるようにしていたが、例えば、競馬、競輪、オートレース等の他の公営ギャンブルに関する収支情報を用いてもよく、また、証券取引、為替取引、先物取引等に関する収支情報を用いてもよく、オンラインカジノにおける収支情報であってもよく、宝くじや、スポーツ振興くじ、数字選択式宝くじ等の収支情報を用いてもよく、また、ネットバンクにおける収支情報や、家計簿、パチンコ遊技機、回胴式遊技機、カジノ（ランドカジノ）等の収支情報を用いてもよい。また、上記いずれかの一つの収支情報だけでなく、少なくともいずれか２つの対象についての収支情報を統合した収支情報を用いるようにしてもよい。  
【００５８】
また、上記実施の形態では、ユーザの端末１側で収支情報を導出し、広告情報配信サーバ５に送信するようにしていたが、本発明はこれに限られず、例えば、投票サーバ３のように、実際にユーザに対する収支を発生する取引を提供する取引サーバ側から広告情報配信サーバ５に収支情報を渡すようにしてもよい。  
【００５９】
また、上記実施の形態においては、収支情報として、収支額を用いていたが、本発明はこれに限られず、収入額だけでもよく、支出額だけでもよい。また、収支情報は金額そのものを示す情報であってもよく、金額の多寡を示す情報、収支がプラスかマイナスであるかを示す情報であってもよい。  
【００６０】
また、上記実施の形態においては、収支情報として、実際の通貨の額を用いていたが、本発明はこれに限られず、金銭価値のあるポイント、パチンコにおける玉数、回胴式遊技機におけるメダル数等の金銭価値のあるものであってもよい。  
【００６１】
また、上記実施の形態では、価格範囲に収支額が含まれる商品の広告情報を抽出するようにしていたが、本発明はこれに限られず、収支額以内で購入可能な商品の広告情報を抽出するようにしてもよく、また、収支額と所定の関係にある額（例えば、半分の額、３倍の額）以内の商品の広告情報を抽出するようにしてもよく、また、収支額以上の商品の広告情報を抽出するようにしてもよく、要は、収支情報に基づいて広告情報を抽出するものであればよい。  
【００６２】
また、上記実施の形態では、ユーザが端末１に購入指示を行い、端末１が投票サーバ３に投票指示を送信することにより舟券の購入をするようにしていたが、例えば、ユーザによる操作により端末１が自動購入設定サーバに対して投票内容を設定し、自動購入設定サーバが投票サーバ３に対して投票指示を送信することにより舟券の購入をするようにしてもよい。  
【００６３】
また、上記実施の形態においては、ネットバンクサーバ２に対してユーザの預金口座から投票サーバ３におけるユーザの投票用口座への送金を依頼するようにしていたが、例えば、投票サーバ３により引き落とし等可能な所定の銀行（例えば、大手都市銀行）の投票用専用口座をユーザが有している場合においては、投票サーバ３がユーザの投票用専用口座を利用して舟券の購入等の処理を実行可能であるので、ネットバンクサーバ２に対して送金依頼をする必要がない。
【符号の説明】
【００６４】
１  端末、２  ネットバンクサーバ、３  投票サーバ、４  レース情報提供サーバ、５  広告情報配信サーバ、６  広告主
サーバ、７  ネットワーク、１０  収支情報受信部、１１  広告情報抽出部、１２  広告情報記憶部、１３  ユーザ情報記憶部、１４  配信部、１５  要求履歴記憶部、１６  表示要求受信部、１７  詳細要求対応部、１８  詳細送信部、２１  本体部、２２  入力装置、２３  表示装置、２４  ＣＰＵ、２５  ＲＯＭ、２６  ＲＡＭ、２７  ハードディスクドライブ、２８  入力インターフェース、２９  表示処理装置、３０  コンボドライブ、３１  通信インターフェース、３２  バス、５０  本体部、５１  入力装置、５２  表示装置、５３  投票受付部、５４  投票情報記憶部、５５  レース情報記憶部、５６  収支導出部、５７  入金指示部、５８  レース情報通信部、５９  収支送信部、６０  投票送信部、６１  詳細要求受付部、６２  詳細通信部、６３  広告情報受信部、６４  表示制御部、７１  舟券購入ウインドウ。
【図１】
2010250835.tif 000003
【図２】
2010250835.tif 000004
【図３】
2010250835.tif 000005
【図４】
2010250835.tif 000006
【図５】
2010250835.tif 000007
【図６】
2010250835.tif 000008
【図７】
2010250835.tif 000009
【図８】
2010250835.tif 000010
【図９】
2010250835.tif 000011
【図１０】
2010250835.tif 000012
【手続補正書】
【提出日】平成22年5月26日(2010.5.26)
【手続補正１】
【補正対象書類名】特許請求の範囲
【補正対象項目名】全文
【補正方法】変更
【補正の内容】
【特許請求の範囲】
【請求項１】
ユーザ端末宛に広告情報を配信する広告情報配信サーバであって、
前記広告情報を、当該広告情報に含まれる広告対象の価値情報と対応させて記憶する広告記憶手段と、
所定の対象を取得し取得対価以上又は未満のリターン可能性を有する取引において、リターン総額から取得対価を減算して算出されたユーザの収支情報をネットワークを介して前記ユーザ端末から受信する収支情報受信手段と、
前記収支情報が示す価値と所定の関係にある価値情報に対応する広告情報を前記広告記憶手段から抽出する広告情報抽出手段と、
抽出した前記広告情報を前記端末宛に配信する配信手段とを有する広告情報配信サーバにおいて、
前記収支情報受信手段は、１回の前記取引におけるリターン総額から取得対価を減算して算出されたユーザの収支情報である第１収支情報と、所定の複数回の前記取引におけるリターン総額から取得対価を減算して算出されたユーザの収支情報である第２収支情報とを前記ユーザ端末から受信し、
前記広告情報抽出手段は、前記第１収支情報が示す価値以内の価値情報に対応する第１広告情報を抽出するとともに、前記第２収支情報が示す価値以内の価値情報に対応する第２広告情報を抽出し、
前記配信手段は、第１広告情報及び第２広告情報を前記ユーザ端末宛に配信することを特徴とする広告情報配信サーバ。
【請求項２】
請求項１に記載の広告情報配信サーバにおいて、前記広告情報抽出手段は、前記収支情報が示す価値情報に対応する広告情報を抽出することを特徴とする広告情報配信サーバ。
【請求項３】
請求項１又は２の何れか一項に記載の広告情報配信サーバにおいて、前記取引において、リターン総額から取得対価を減算して算出されたユーザの収支情報を前記収支情報受信手段が受信した場合には、前記広告情報抽出手段は、前記収支情報が示す価値情報に対応する貸付広告の情報を抽出することを特徴とする広告情報配信サーバ。
【請求項４】
ユーザにより利用可能な端末と、前記端末宛に広告情報を配信する広告情報配信サーバとを有する広告情報配信システムであって、
前記端末は、
ユーザからの所定の対象の取得指示を受け付ける指示受付手段と、
前記対象に関わる収支情報を導出する収支情報導出手段と、
前記収支情報を前記広告情報配信サーバに送信する送信手段とを有し、
前記広告情報配信サーバは、
広告情報を記憶する広告記憶手段と、
前記収支情報を受信する収支情報受信手段と、
前記収支情報に基づいてユーザに提供する広告情報を広告記憶手段から抽出する広告情報抽出手段と、
抽出した前記広告情報を前記端末宛に配信する配信手段とを有することを特徴とする広告情報配信システム。
【請求項５】
ユーザ端末宛に広告情報を配信する広告情報配信サーバであって、
前記広告情報を、当該広告情報に含まれる広告対象の価値情報と対応させて記憶する広告記憶手段と、
所定の対象を取得し取得対価以上又は未満のリターン可能性を有する取引において、リターン総額から取得対価を減算して算出されたユーザの収支情報を、該収支の確定するタイミングに応じてネットワークを介して前記ユーザ端末から受信する収支情報受信手段と、
前記収支情報が示す価値と所定の関係にある価値情報に対応する広告情報を前記広告記憶手段から抽出する広告情報抽出手段と、
抽出した前記広告情報を前記端末宛に配信する配信手段とを有することを特徴とする広告情報配信サーバ。